【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
複数のコンピューティング環境を統合するための統一化システムであって、前記複数のコンピューティング環境は、単一のユーザによる同時使用に利用可能であり、前記複数のコンピューティング環境のうちの１つは、ユーザベース環境を含み、前記システムは、
各々がそれぞれのコンピューティング環境に関連付けられ、前記それぞれのコンピューティング環境に関する情報を提供するように構成される複数のエージェントと、
受け取った情報に従って前記複数のコンピューティング環境の中央指示を実行し、前記ベース環境以外のコンピューティング環境を前記ベース環境に組み込むために、および前記複数のエージェントに前記指示を実行するように命令を発行するために、前記複数のエージェントからの前記情報を受け取るように構成される、前記複数のエージェントと通信する統一化スーパバイザと
を含み、それによって前記ユーザに統一作業環境を提供する、システム。
【請求項２】
前記ベース環境は、ユーザホスト環境を含むか、
前記中央指示は、指定されたポリシーに従うか、
前記コンピューティング環境の少なくとも１つは、仮想環境を含むか、
前記ベース環境はユーザホスト環境を含み、前記複数のコンピューティング環境の少なくとも１つは前記ユーザホスト環境の上で実行される仮想環境を含むか、
前記コンピューティング環境の少なくとも１つは、リモートデスクトップを含むか、
前記コンピューティング環境の少なくとも２つは、異なるオペレーティングシステムで作動するか、
エージェントは、前記それぞれのコンピューティング環境に常駐するか、
前記統一化スーパバイザは、前記コンピューティング環境の１つに常駐するか、
前記統一化スーパバイザは、前記ベース環境に常駐するか、
前記統一化スーパバイザおよび前記エージェントの少なくとも１つは、メタデータの追加によってデータをタグ付けするようにさらに作動可能であるか、
前記統一化スーパバイザは、ファイルシステムユニファイアを含み、前記ファイルシステムユニファイアは、前記ベース環境以外の前記コンピューティング環境のそれぞれのファイルシステムを前記ベース環境のファイルシステムに組み込み、かつ前記ベース環境以外の前記コンピューティング環境から前記ベース環境の前記ファイルシステムにアクセスすることを可能にするように構成され、それによって前記複数のコンピューティング環境の各々のそれぞれのファイルシステムへの統一されたアクセスを前記ユーザに提供するか、
前記統一化スーパバイザは、操作を前記複数のコンピューティング環境のうちの適切なものに委託するように構成されるアクセス委託マネージャを含むか、
前記統一化スーパバイザは、前記ベース環境と前記ベース環境以外の前記コンピューティング環境との間のユーザ設定の一貫性を維持するように構成されるユーザ設定シンクロナイザを含むか、または
前記統一化スーパバイザは、前記ベース環境からの前記ベース環境以外のコンピューティング環境のアプリケーションの実行を可能にするように構成されるアプリケーション実行マネージャを含む、請求項１に記載のシステム。
【請求項３】
前記ファイルシステムユニファイアは、前記複数のコンピューティング環境の各々によるファイルアクセスのためのアクセス権ポリシーを実施するように作動可能である、請求項１に記載のシステム。
【請求項４】
前記ファイルシステムユニファイアは、前記ベース環境の前記ファイルシステムと、別の前記複数のコンピューティング環境のファイルシステムとの間で転送されているファイルを変換するように構成されるファイル変換器を含むか、または
前記アクセス権ポリシーは、ファイル型、フォルダ、ドライブ型、経路、ユーザ、ファイルが作成された環境、ファイルが最後に変更された環境、およびタグからなる群の少なくとも１つを含むファイルアクセスパラメータに従う、請求項３に記載のシステム。
【請求項５】
前記ファイルシステムユニファイアは、前記アクセス委託マネージャを含み、前記アクセス委託マネージャは、前記コンピューティング環境でのユーザの操作を監視し、アクセスポリシーに従って現在のユーザ操作について適切な環境を選択するようにさらに構成される、請求項２に記載のシステム。
【請求項６】
前記アクセス委託マネージャは、処理タスクが不適切なコンピューティング環境で実行されることを阻止するようにさらに構成されるか、
前記アクセス委託マネージャは、ファイル名、ファイル拡張子、ファイルコンテンツ、ファイルの所有者、ドライブ型、ファイル型、アクセス権およびタグからなる群の少なくとも１つを含むパラメータに従って、現在のファイル処理操作について適切な環境を選択するように構成されるか、または
前記アクセス委託マネージャは、ドメイン、アドレスフォーマット、プロトコル、アクセス許可、タグ、および通信特性からなる群の少なくとも１つを含む環境選択パラメータに従って、現在のウェブアクセス操作について適切な環境を選択するように構成される、請求項５に記載のシステム。
【請求項７】
前記統一化スーパバイザは、データ転送ポリシーに従って前記複数のコンピューティング環境間のデータ転送操作を制御するように構成されるデータ転送フィルタを含む、請求項１に記載のシステム。
【請求項８】
前記データ転送フィルタは、データ転送操作を阻止するように作動可能であるか、
前記データ転送フィルタは、前記複数のコンピューティング環境間で転送されるデータを変換するように構成されるデータ変換器をさらに含むか、または
データ転送操作は、前記複数のコンピューティング環境間のファイル転送、コピー操作、ペースト操作、ドラッグとドロップ操作、印刷操作、装置へのデータ転送、装置からのデータ転送、リソースへのデータ転送またはリソースからのデータ転送、およびユーザ設定同期化からなる群のうちの１つを含む、請求項７に記載のシステム。
【請求項９】
前記統一化スーパバイザは、前記ベース環境と前記ベース環境以外の前記コンピューティング環境との間のユーザ設定の一貫性を維持するように構成されるユーザ設定シンクロナイザを含み、
前記維持は環境毎に適用されるか、または
前記維持は設定毎に適用される、請求項１に記載のシステム。
【請求項１０】
前記統一化スーパバイザは、前記ベース環境からの前記ベース環境以外のコンピューティング環境のアプリケーションの実行を可能にするように構成されるアプリケーション実行マネージャを含み、
前記アプリケーション実行マネージャは、前記ベース環境以外の前記コンピューティング環境内で前記アプリケーションを実行するための実行コマンドを確立するように作動可能であり、従って前記アプリケーションは、前記実行コマンドが前記ベース環境からトリガされたときに実行される、請求項１に記載のシステム。
【請求項１１】
前記統一化スーパバイザは、前記ベース環境以外のコンピューティング環境のそれぞれのデスクトップを前記ベース環境のデスクトップに組み込むように構成されるデスクトップユニファイアを含む、請求項１に記載のシステム。
【請求項１２】
前記デスクトップユニファイアは、前記コンピューティング環境のアクティブウィンドウを統合された視覚イメージに結合するように構成されるか、
前記デスクトップユニファイアは、前記結合をアウトオブバンドで実行するように構成されるか、
前記デスクトップユニファイアは、前記コンピューティング環境のタスクバーを前記ベースシステムのタスクバーに組み込むように構成されるか、
前記デスクトップユニファイアは、前記統一化デスクトップに対して統一されたユーザ入力および制御を提供するように構成されるか、
前記デスクトップユニファイアは、前記複数コンピューティング環境のトレイアイコンを前記ベースデスクトップ環境のトレイアイコン領域に結合するように構成されるか、または
前記デスクトップユニファイアは、前記ベース環境以外の前記コンピューティング環境に対するデスクトップパラメータを前記ベース環境の前記デスクトップのぞれぞれのパラメータと同期化するようにさらに構成される、請求項１１に記載のシステム。
【請求項１３】
複数のコンピューティング環境を単一の統一環境に統合するための方法であって、前記複数のコンピューティング環境が単一のユーザによる同時使用に利用可能であり、前記複数の環境の１つはユーザベース環境を含み、前記方法は、
各々の前記コンピューティング環境から受け取ったそれぞれのコンピューティング環境の進行中の状態に関する情報を監視するステップと、
前記ベース環境以外のコンピューティング環境を前記ベース環境に組み込むように、前記受け取った情報に従って、前記複数のコンピューティング環境の中央指示を実行するステップと
を含み、それによって統一作業環境が前記ユーザに提供される、方法。
【請求項１４】
前記指示は、指定されたポリシーにさらに従うか、
前記コンピューティング環境の少なくとも１つは、仮想環境を含むか、
前記複数のコンピューティング環境の１つは、前記仮想環境をサポートするホスティング物理的コンピューティング環境を含むか、
前記情報は、それぞれのコンピューティング環境に関連付けられたエージェントによって提供されるか、
前記ベース環境以外の前記コンピューティング環境のそれぞれのファイルシステムをアクセス権ポリシーに従って前記ベース環境のファイルシステムに組み込むステップをさらに含み、それによって前記複数のコンピューティング環境の各々のそれぞれのファイルシステムに対する統一されたアクセスを前記ユーザに提供するか、
前記複数のコンピューティング環境の適切なものに操作を委託するステップをさらに含み、前記適切なコンピューティング環境は選択されるか、
前記複数のコンピューティング環境間を転送されるデータを制御するステップをさらに含むか、
前記複数のコンピューティング環境間を転送されるデータを変換するステップをさらに含むか、
前記ベース環境と前記ベース環境以外のコンピューティング環境との間のユーザ設定の一貫性を維持するステップをさらに含むか、
前記ベース環境からの前記ベース環境以外のコンピューティング環境のアプリケーションの実行を可能にするステップをさらに含むか、または
前記複数のコンピューティング環境のそれぞれのデスクトップを前記ベース環境のデスクトップに統合するステップをさらに含む、請求項１３に記載の方法。
【請求項１５】
コンピューティング環境に入るためのソフトウェアエージェントとしてコンピュータを動作させるためのプログラムを担持するコンピュータ可読媒体であって、前記ソフトウェアエージェントは、
前記コンピューティング環境の進行中の状態に関する情報を収集するように構成される情報収集部と
複数のコンピューティング環境をユーザベース環境に組み込むために、前記コンピューティング環境が統一化システムと対話することを可能にするように、前記情報収集部に関連付けられ、前記収集した情報を出力するように構成される情報提供部と
を含む、コンピュータ可読記録媒体。